(57)【要約】【課題】外装部の剛性を十分に高くする必要が生じたり、外装部の歪みや変形によってボディ部が変形する等の悪影響が生じてしまう場合がある。【解決手段】受光装置は、第１受光ユニットと、前記第１受光ユニットが固定されているボディ部と、前記ボディ部の底部に設けられ、前記ボディ部を雲台に締結するための締結部と、前記受光装置の外装を提供する外装部とを備え、前記ボディ部は、前記ボディ部の前記底部とは異なる部位で前記外装部と締結されており、前記ボディ部の前記底部は、前記外装部に締結されていない。【選択図】図１
2018060218.tif 000002
【特許請求の範囲】
【請求項１】
受光素子を備えるボディ部と、
前記ボディ部の底部に前記ボディ部に対して移動可能に設けられ、雲台を前記ボディ部に取り付ける取付部と、
前記ボディ部を覆う外装部と
を備え、
前記ボディ部は、前記ボディ部の前記底部とは異なる部位で前記外装部に固定され、前記ボディ部の前記底部が前記外装部に締結されていない
受光装置。
【請求項２】
請求項１に記載の受光装置であって、
前記取付部は、前記ボディ部の底部に交差する方向を軸として回転せず、前記軸の方向に移動可能に設けられる受光装置。
【請求項３】
請求項１または２に記載の受光装置であって、
前記受光素子に被写体光束を結像する光学系を装着する装着部を備え、
前記ボディ部は、前記装着部とで前記外装部を挟んで固定する受光装置。
【請求項４】
請求項１から３のいずれか一項に記載の受光装置であって、
前記ボディ部の前記底部と前記外装部とに接触し、前記ボディ部の前記底部と前記外装部との間を塞ぐゴム部材
をさらに備える受光装置。
【請求項５】
請求項４に記載の受光装置であって、
前記ゴム部材は、前記ボディ部の前記底部の第１部位に設けられ、
前記受光装置は、
前記ボディ部が前記雲台に取り付けられた場合に、前記ボディ部の前記底部の第２部位が前記外装部に接触することを抑制する接触抑制部
をさらに備える受光装置。
【請求項６】
請求項５に記載の受光装置であって、
前記接触抑制部は、前記外装部において前記ボディ部の前記底部に対向する面と前記ボディ部の底部との少なくとも一方に設けられたスペーサである受光装置。
【発明の詳細な説明】
【技術分野】
【０００１】
本発明は、受光装置に関する。
【背景技術】
【０００２】
前カバーに配設された保持部材と後カバーに配設された保持部材とで三脚取付部材を挟持したカメラが知られている（例えば、特許文献１参照。）。
［先行技術文献］
［特許文献］
［特許文献１］  特開２００５−５７６５６号公報
【発明の概要】
【発明が解決しようとする課題】
【０００３】
受光装置を雲台に締結するための締結部を外装部で固定する場合、外装部の剛性を十分に高くする必要が生じてしまう。外装部内のボディ部に締結部を設ける場合、外装部の歪みや変形が締結部を介してボディ部に直接に伝達されてしまい、外装部の歪みや変形によってボディ部が変形する等の悪影響が生じてしまう場合がある。
【課題を解決するための手段】
【０００４】
第１の態様においては、受光装置は、第１受光ユニットと、前記第１受光ユニットが固定されているボディ部と、前記ボディ部の底部に設けられ、前記ボディ部を雲台に締結するための締結部と、前記受光装置の外装を提供する外装部とを備え、前記ボディ部は、前記ボディ部の前記底部とは異なる部位で前記外装部と締結されており、前記ボディ部の前記底部は、前記外装部に締結されていない。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】撮像装置１０００の模式的な断面図である。
【図２】ボディ底部１０５０、三脚座ネジ１０７０、三脚座プレート１０８０およびボディ底部１０５０の分解斜視図である。
【図３】三脚が取り付けられた状態の撮像装置１０００を模式的に示す断面図である。
【図４Ａ】撮像装置１０００の第１変形例を模式的に示す断面図である。
【図４Ｂ】撮像装置１０００の第１変形例におけるゴム部材１３００を示す図である。
【図５】第１変形例に係る撮像装置１０００に三脚が取り付けられた状態を模式的に示す断面図である。
【図６】撮像装置１０００の第２変形例を模式的に示す断面図である。
【図７】第３変形例に係る撮像装置１０００に三脚が取り付けられていない状態を模式的に示す。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、撮像装置１０００の模式的な断面図である。撮像装置１０００は、一眼レフレックスカメラである。撮像装置１０００は、レンズユニット１０１０およびカメラ本体１０２０を備える。レンズユニット１０１０は、交換レンズである。レンズユニット１０１０は、カメラ本体１０２０に着脱可能である。図１は、カメラ本体１０２０にレンズユニット１０１０が装着された状態を撮像装置１０００として示す。
【０００９】
カメラ本体１０２０は、ボディ側マウント１０２２と、カバー部１０３０と、ボディ部１０４０と、ボディ部１０４０と、ミラーユニット１０４２と、撮像ユニット１１００と、処理ユニット１４００と、表示ユニット１０２４と、ファインダユニット１０６０と、ファインダ窓１０６４と、三脚取付部１０４８とを有する。レンズユニット１０１０は、ボディ側マウント１０２２に装着される。
【００１０】
カバー部１０３０は、撮像装置１０００の外観を提供する。カバー部１０３０は、前カバー１０３１と、上カバー１０３２と、後カバー１０３３とを有する。ボディ部１０４０と、ミラーユニット１０４２と、撮像ユニット１１００と、処理ユニット１４００と、ファインダユニット１０６０と、焦点検出ユニットとは、前カバー１０３１、上カバー１０３２および後カバー１０３３によって実質的に覆われる。
【００１１】
撮像装置１０００に係る構成を説明する場合に、レンズユニット１０１０の光軸に沿う方向をｚ軸方向と定める。すなわち、被写体光束が入射する方向をｚ軸方向と定める。被写体光束が入射する方向をｚ軸マイナス方向と定め、その反対方向をｚ軸プラス方向と定める。また、図１に図示した方向にｘ軸方向およびｙ軸方向を定める。ｘ軸、ｙ軸、ｚ軸は右手系の直交座標系である。また、ｚ軸プラス方向を前方、前側等と呼ぶ場合がある。また、ｚ軸マイナス方向を後方、後側等と呼ぶ場合がある。また、ｙ軸プラス方向を上方、上側、上部等と呼ぶ場合がある。ｙ軸プラス方向を下方、下側、下部等と呼ぶ場合がある。
【００１２】
レンズユニット１０１０は、レンズ側マウント１０１２と、光学系１０１４とを有する。レンズ側マウント１０１２は、光学系１０１４より後側に設けられる。レンズ側マウント１０１２は、カメラ本体１０２０の前面に配されたボディ側マウント１０２２と嵌合することにより、レンズユニット１０１０がカメラ本体１０２０に装着される。
【００１３】
光学系１０１４は、光軸に沿って移動可能に設けられる少なくとも一つの可動レンズを有する。当該可動レンズが光軸に沿って移動することにより、光学系１０１４の焦点距離、合焦位置が変化する。レンズユニット１０１０は、光学系１０１４を通過した被写体光束を出射する。
【００１４】
カメラ本体１０２０において、ボディ部１０４０の上方には、ファインダユニット１０６０が固定される。ファインダユニット１０６０は、フォーカシングスクリーン１０６１と、ペンタプリズム１０６２と、ファインダレンズ系１０６３とを有する。
【００１５】
ボディ部１０４０内には、ミラーユニット１０４２が設けられる、ミラーユニット１０４２は、メインミラー１０４３と、サブミラー１０４４とを含む。
【００１６】
ミラーユニット１０４２は、レンズユニット１０１０が出射した被写体光束の光路中に進入した状態と、被写体光束の光路から退避した状態とをとる。図１は、ミラーユニット１０４２が被写体光束の光路中に進入した状態を示す。具体的には、メインミラー１０４３は、レンズユニット１０１０が出射した被写体光束の光路中に進入した進入位置と、被写体光束の光路から退避した退避位置との間で、回転可能に軸支される。サブミラー１０４４は、メインミラー１０４３に対して回転可能に軸支される。サブミラー１０４４は、メインミラー１０４３とともに被写体光束中に進入し、メインミラー１０４３とともに被写体光束から退避する。
【００１７】
メインミラー１０４３が進入位置にある場合、メインミラー１０４３に入射した被写体光束の一部は、メインミラー１０４３に反射されてフォーカシングスクリーン１０６１に導かれる。フォーカシングスクリーン１０６１は、撮像ユニット１１００が有する撮像素子の撮像面と共役な位置に配されて、レンズユニット１０１０が有する光学系１０１４が形成した被写体像を可視化する。フォーカシングスクリーン１０６１に形成された被写体像の光束は、ペンタプリズム１０６２に導かれる。ペンタプリズム１０６２に導かれた光束の一部の光束は、ペンタプリズム１０６２およびファインダレンズ系１０６３を通じてファインダ窓１０６４から出射して、被写体として観察され得る。ファインダ窓１０６４は、後カバー１０３３に締結されたアイカップ１３３２に設けられている。
【００１８】
メインミラー１０４３が進入位置にある場合、メインミラー１０４３に入射した被写体光束のうちメインミラー１０４３で反射した被写体光束以外の光束は、サブミラー１０４４に入射する。具体的には、メインミラー１０４３はハーフミラー領域を有し、メインミラー１０４３のハーフミラー領域を透過した被写体光束がサブミラー１０４４に入射する。ハーフミラー領域を透過しサブミラー１０４４で反射した被写体光束は、ボディ部１０４０に固定された焦点検出ユニットに入射する。焦点検出ユニットは、入射した光束を受光して被写体に対する焦点状態を示す情報を出力する焦点検出センサを有する。撮像装置１０００は、焦点検出ユニットによる焦点状態の検出結果に基づいて焦点調節を行う。例えば、光学系１０１４が含む可動レンズを、焦点状態の検出結果に基づいて移動させることにより、焦点調節を行う。
【００１９】
ミラーユニット１０４２が被写体光束から退避すると、レンズユニット１０１０を透過する被写体光束は、撮像ユニット１１００に入射して、撮像ユニット１１００が有する撮像素子の撮像面に到達する。
【００２０】
撮像ユニット１１００の後方には、処理ユニット１４００および表示ユニット１０２４が順次配置される。表示ユニット１０２４としては、液晶パネル等を適用できる。表示ユニット１０２４の表示面は、カメラ本体１０２０の背面に現れる。表示ユニット１０２４は、撮像素子からの出力信号から生成される画像を表示する。表示ユニット１０２４は、後カバー１０３３に固定される。表示ユニット１０２４は、後カバー１０３３に締結されて固定される。
【００２１】
処理ユニット１４００には、ＭＰＵ、ＡＳＩＣ等の電子回路が実装される。ＭＰＵは、撮像装置１０００の全体の制御を担う。撮像素子からの出力信号は、フレキシブルプリント基板を介してＡＳＩＣへ出力される。ＡＳＩＣは、撮像素子から出力された出力信号を処理する。
【００２２】
ＡＳＩＣは、撮像素子からの出力信号に基づいて、表示用の画像データを生成する。表示ユニット１０２４は、ＡＳＩＣが生成した表示用の画像データに基づいて画像を表示する。ＡＳＩＣは、撮像素子からの出力信号に基づいて、記録用の画像データを生成する。ＡＳＩＣが生成した記録用の画像データは、カメラ本体１０２０に装着された記録媒体に記録される。カメラ本体１０２０には記録媒体が着脱可能に設けられる。
【００２３】
前カバー１０３１、上カバー１０３２および後カバー１０３３は樹脂で形成される。前カバー１０３１、上カバー１０３２および後カバー１０３３は導電性を有する樹脂で形成されてよい。前カバー１０３１、上カバー１０３２および後カバー１０３３は、樹脂成形により形成される。ボディ側マウント１０２２は金属で形成される。ボディ側マウント１０２２は、環形状を有するマウントリングである。ボディ部１０４０は、樹脂で形成される。ボディ側マウント１０２２は、ボディ部１０４０の剛性より高い剛性を有する。
【００２４】
カバー部１０３０において、前カバー１０３１は、ボディ側マウント１０２２の近傍においてボディ部１０４０に締結される。前カバー１０３１は、ボディ部１０４０においてボディ側マウント１０２２が締結された部位の外周部に締結される。前カバー１０３１は、ビス１０３４およびビス１０３５により、ボディ部１０４０に締結される。
【００２５】
なお、前カバー１０３１は、ボディ部１０４０においてボディ側マウント１０２２が締結された部位に締結されてよい。前カバー１０３１は、ボディ側マウント１０２２に締結されてもよい。例えば、前カバー１０３１は、ボディ側マウント１０２２に締結されてよい。より具体的には、前カバー１０３１は、ボディ側マウント１０２２およびボディ部１０４０と共締めされてよい。前カバー１０３１は、ボディ側マウント１０２２とボディ部１０４０との間に挟まれた状態で、ボディ側マウント１０２２およびボディ部１０４０と共締めされてよい。前カバー１０３１は、ボディ側マウント１０２２をボディ部１０４０に締結するビスにより、ボディ側マウント１０２２およびボディ部１０４０と共締めされてよい。
【００２６】
カバー部１０３０はモノコック構造を有する。上カバー１０３２は、前カバー１０３１および後カバー１０３３と締結される。上カバー１０３２は、ビス１０３９により前カバー１０３１に締結される。上カバー１０３２は、ビス１０２９により後カバー１０３３に締結される。同様に、前カバー１０３１は、ビスにより後カバー１０３３に締結される。前カバー１０３１、上カバー１０３２および後カバー１０３３は、前カバー１０３１、上カバー１０３２および後カバー１０３３で形成されるカバー部１０３０がモノコック構造を有するように、それぞれ他のカバーと締結される。
【００２７】
ボディ部１０４０は、ボディ主部１０４５と、ボディ底部１０５０とを有する。ボディ底部１０５０は、ボディ主部１０４５を補強する。ボディ底部１０５０は、ボディ主部１０４５より高い剛性を有してよい。ボディ底部１０５０は、ビス１０４６およびビス１０４７によってボディ主部１０４５に締結される。
【００２８】
ボディ部１０４０の底部には、三脚取付部１０４８が設けられる。三脚取付部１０４８は、ボディ底部１０５０に設けられる。
【００２９】
三脚取付部１０４８は、ボディ部１０４０を三脚の雲台に取り付けるための部材である。三脚取付部１０４８は、ボディ底部１０５０に設けられる。三脚取付部１０４８は、三脚座ネジ１０７０と、三脚座プレート１０８０とを有する。三脚座プレート１０８０は、ボディ底部１０５０に固定される。三脚座プレート１０８０は、ｙ軸に平行な方向を回転軸として回転しないように、ボディ底部１０５０に固定される。
【００３０】
ボディ部１０４０は、後述する三脚雲台１０９０と三脚座ネジ１０７０とが、後述するビス１０９８によって締結されることにより、三脚雲台１０９０に締結される。
【００３１】
図１は、三脚雲台１０９０が取り付けられていない状態の撮像装置１０００を模式的に示す。図示されるように、ボディ部１０４０の底部は、前カバー１０３１に接触していない。上述したように、前カバー１０３１は、ボディ側マウント１０２２の近傍でボディ部１０４０に締結されている。前カバー１０３１は、ボディ部１０４０の前面部における、ボディ部１０４０に締結された部位で、ボディ部１０４０に接触している。また、上カバー１０３２および後カバー１０３３のいずれも、ボディ部１０４０に接触していない。すなわち、ボディ部１０４０の他の部位は、前カバー１０３１、上カバー１０３２および後カバー１０３３のいずれにも接触していない。具体的には、ボディ部１０４０の側部、ボディ部１０４０の頂部およびボディ部１０４０の後部のいずれも、カバー部１０３０に接触していない。
【００３２】
ボディ側マウント１０２２がボディ部１０４０と締結されることで、ボディ部１０４０においてボディ側マウント１０２２が締結された部位やその近傍の部位の剛性が高まる。したがって、カバー部１０３０は、ボディ部１０４０において高い剛性を有する部位にだけ締結されている。また、カバー部１０３０はモノコック構造を有するので、前カバー１０３１、上カバー１０３２および後カバー１０３３のいずれかに加わった応力を、前カバー１０３１、上カバー１０３２および後カバー１０３３の全体で受け持つことができる。
【００３３】
このように、モノコック構造を有するカバー部１０３０において、カバー部１０３０はボディ部１０４０において高い剛性を有する部位以外では接触していないので、前カバー１０３１、上カバー１０３２および後カバー１０３３のいずれかに加わった応力は、ボディ部１０４０においてボディ側マウント１０２２が固定されることによって高い剛性を有する特定の部位に集中的に伝達される。そのため、前カバー１０３１、上カバー１０３２および後カバー１０３３のいずれかに加わった応力によって、ボディ部１０４０が変形する等の悪影響を抑制することができる。したがって、撮像ユニット１１００の位置決め精度に与える影響を軽減できる。
【００３４】
図２は、ボディ底部１０５０、三脚取付部１０４８およびボディ底部１０５０の分解斜視図である。
【００３５】
三脚取付部１０４８の三脚座ネジ１０７０は、後述するビス１０９８を受け入れる雌ネジ部１０７５を有する。三脚取付部１０４８の三脚座プレート１０８０は、ボディ底部１０５０に対向する第２面１０８２と、第２面１０８２と反対側の第１面１０８１を有する。三脚座プレート１０８０には、開口１０８３が形成されている。開口１０８３には、第１面１０８１側から三脚座ネジ１０７０の雌ネジ部１０７５が挿入されて、第２面１０８２から突出する。
【００３６】
ボディ底部１０５０は、三脚座プレート１０８０に対向する第１面１０５１と、第１面１０５１の反対側の第２面１０５２とを有する。ボディ底部１０５０には、開口１０５３が形成されている。開口１０５３は、第１面１０５１から第２面１０５２まで貫通する。開口１０５３は、第１面１０５１から第２面１０５２まで貫通する。雌ネジ部１０７５は、開口１０８３および開口１０５３を貫通して、ボディ底部１０５０の第２面１０５２から突出する。
【００３７】
ボディ底部１０５０は、孔１０５６、孔１０５７、孔１０５８および孔１０５９を有する。孔１０５６、孔１０５７、孔１０５８および孔１０５９は、第１面１０５１から第２面１０５２まで貫通する。ボディ底部１０５０は、孔１０５６、孔１０５７、孔１０５８および孔１０５９ならびにボディ主部１０４５の底部に形成された対応する孔１０６６、孔１０６７、孔１０６６、孔１０６８および孔１０６９を用いて、ビス１０４６およびビス１０４７等のビスにより締結される。
【００３８】
前カバー１０３１の底部は、第２面１０５２に対向する面である底部内面１０３６と、底部内面１０３６とは反対側の面である底部外面１０３７とを有する。前カバー１０３１の底部には、開口１０３８が形成されている。
【００３９】
開口１０３８は、三脚座プレート１０８０の開口１０８３より広い。開口１０３８は、ボディ底部１０５０の開口１０５３より広い。例えば、開口１０３８の直径は、開口１０８３の直径より大きい。
【００４０】
三脚座ネジ１０７０の雌ネジ部１０７５は、第２面１０５２より突出している。すなわち、雌ネジ部１０７５の突出部の先端面１０７６の位置は、第２面１０５２よりｙ軸マイナス方向の位置にある。雌ネジ部１０７５の先端部は前カバー１０３１の開口１０３８に挿入されている。すなわち、雌ネジ部１０７５の突出部の先端面１０７６の位置は、前カバー１０３１の底部内面１０３６よりｙ軸マイナス方向の位置にある。
【００４１】
雌ネジ部１０７５は、前カバー１０３１の底部外面１０３７から突出していない。すなわち、雌ネジ部１０７５の突出部の先端面１０７６は、底部内面１０３６と底部外面１０３７との間に位置する。雌ネジ部１０７５が第２面１０５２からｙ軸マイナス方向に突出している長さＬは、前カバー１０３１の底部面の厚さｄ未満である。雌ネジ部１０７５が突出している長さＬは、前カバー１０３１の底部面の厚さｄ以下であってよい。
【００４２】
このように、ボディ部１０４０が三脚雲台１０９０に取り付けられていない場合、ボディ部１０４０は、カバー部１０３０の底部に接触していない。すなわち、ボディ部１０４０は、ボディ側マウント１０２２の近傍以外の部位から応力を受けにくい。そのため、外部からの応力によってボディ部１０４０が変形する等の悪影響を抑制できる。
【００４３】
図３は、三脚が取り付けられた状態の撮像装置１０００を模式的に示す断面図である。三脚座ネジ１０７０は、ビス１０９８で三脚雲台１０９０に締結される。これにより、撮像装置１０００が三脚雲台１０９０に取り付けられる。
【００４４】
三脚雲台１０９０は、撮像装置１０００が三脚雲台１０９０に取り付けられた場合に前カバー１０３１の底部外面１０３７に対向する第１面１０９１と、第１面１０９１の反対側の第２面１０９２とを有する。三脚雲台１０９０には、開口１０９３が形成されている。開口１０９３は、第１面１０９１から第２面１０９２まで貫通する。撮像装置１０００が三脚雲台１０９０に取り付けられた場合に、開口１０９３は前カバー１０３１の開口１０３８と略同軸に位置決めされる。開口１０３８は、開口１０９３より広い。例えば、開口１０３８の直径は、開口１０９３の直径より大きい。
【００４５】
三脚座ネジ１０７０がビス１０９８で三脚雲台１０９０に締結されると、ボディ底部１０５０は、三脚雲台１０９０と三脚座ネジ１０７０とに挟まれた状態で、三脚雲台１０９０に締結される。これにより、ボディ底部１０５０が三脚雲台１０９０に締結される。ボディ底部１０５０は、ボディ底部１０５０および前カバー１０３１が三脚雲台１０９０と三脚座ネジ１０７０とに挟まれた状態で、三脚雲台１０９０に締結される。ボディ底部１０５０が三脚雲台１０９０に締結されている場合、前カバー１０３１の底部内面１０３６は、ボディ底部１０５０の第２面１０５２に接触する。
【００４６】
上述したように、雌ネジ部１０７５が第２面１０５２から突出している長さＬは、前カバー１０３１の底部面の厚さｄ未満である。長さＬは、ビス１０９８を予め定められた強さで締め付けた場合に、三脚座ネジ１０７０の先端面１０７６に三脚雲台１０９０が接触しないように設計される。したがって、ボディ底部１０５０が三脚雲台１０９０に締結された場合に、雌ネジ部１０７５の先端面１０７６は、三脚雲台１０９０に接触しない。そのため、ボディ底部１０５０を三脚雲台１０９０に強く締結することができる。なお、雌ネジ部１０７５が第２面１０５２から突出している長さＬは、前カバー１０３１の底部面の厚さｄの半分以上であってよい。
【００４７】
このように、撮像装置１０００を三脚雲台１０９０に取り付ける場合、ボディ底部１０５０は、前カバー１０３１とともに三脚雲台１０９０に締結される。そのため、前カバー１０３１の剛性を、撮像装置１０００を支持できるほど高くしなくても、撮像装置１０００を安定的に三脚雲台１０９０に支持することができる。そのため、前カバー１０３１を例えばマグネシウム合金等の金属で形成する必要がない。また、前カバー１０３１を肉厚にする必要がない。そのため、撮像装置１０００全体の重量が増加することを抑制できる。また、撮像装置１０００のコストを抑制できる。
【００４８】
図４Ａは、撮像装置１０００の第１変形例を模式的に示す断面図である。図４Ａは、第１変形例に係る撮像装置１０００に三脚が取り付けられていない状態を模式的に示す。図４Ｂは、撮像装置１０００の第１変形例におけるゴム部材１３００を拡大して示す。第１変形例に係る撮像装置１０００は、図１から図３に関連して説明した撮像装置１０００が備える構成要素に加えて、ゴム部材１３００と、第１変位抑制部材１３１０とを備える。
【００４９】
第１変形例に係る撮像装置１０００が備える構成要素のうち、図１から図３に関連して説明した撮像装置１０００が備える構成要素と同様の機能を有する構成要素には、同じ符号が付されている。第１変形例に係る撮像装置１０００の説明において、図１から図３に関連して説明した撮像装置１０００が有する構成要素に対応する構成要素については、説明を省略する場合がある。
【００５０】
まず、ゴム部材１３００について説明する。ゴム部材１３００は、ボディ底部１０５０と前カバー１０３１との間の隙間を塞ぐ。ゴム部材１３００によって、撮像装置１０００の防塵性を高めることができる。また、撮像装置１０００の防滴性能を高めることができる。
【００５１】
ゴム部材１３００は、三脚座ネジ１０７０の雌ネジ部１０７５の周囲に設けられる。ゴム部材１３００は、雌ネジ部１０７５を環囲する。ゴム部材１３００の開口１３０８には、雌ネジ部１０７５が密着した状態で挿入されている。
【００５２】
具体的には、ゴム部材１３００は、ボディ底部１０５０の第２面１０５２に接触する第１面１３０１と、底部内面１０３６に接触する第３面１３０３と、第１面１３０１と第３面１３０３との間の第２面１３０２と、前カバー１０３１の開口１０３８の側面１０５４に接触する第４面１３０４と、雌ネジ部１０７５の側面１０７７に接触する第６面１３０６と、第４面１３０４と第６面１３０６との間の第５面１３０５とを有する。
【００５３】
なお、ゴム部材１３００が有する第４面１３０４のｙ軸方向の長さは、前カバー１０３１の厚さｄより短い。すなわち、ゴム部材１３００の第５面１３０５は、底部外面１０３７よりｙ軸プラス方向に位置する。より具体的には、ゴム部材１３００の第５面１３０５は、三脚座ネジ１０７０の先端面１０７６よりｙ軸プラス方向に位置する。
【００５４】
ゴム部材１３００の柔軟性は、カバー部１０３０の柔軟性より高い。ゴム部材１３００の柔軟性は、ボディ底部１０５０の柔軟性より高い。このように、第１変形例の撮像装置１０００においては、撮像装置１０００の底部におけるボディ部１０４０と前カバー１０３１との間の隙間を塞ぐ部材が、柔軟性を有する部材で形成されている。したがって、図１から図３に関連して説明した撮像装置１０００と同様に、ボディ部１０４０は前カバー１０３１に直接接触していない。そのため、図１から図３に関連して説明した撮像装置１０００と同様に、カバー部１０３０に加えられた応力は、ボディ部１０４０においてボディ側マウント１０２２が固定される部位の近傍の特定の部位に集中的に伝達される。そのため、前カバー１０３１、上カバー１０３２および後カバー１０３３のいずれかに加わった応力によって、ボディ部１０４０が変形する等の悪影響を抑制することができる。
【００５５】
次に、第１変位抑制部材１３１０について説明する。第１変位抑制部材１３１０は、アイカップ１３３２に対するファインダユニット１０６０の変位を抑制する。
【００５６】
第１変位抑制部材１３１０は、第１緩衝部材１３２１と、第２緩衝部材１３２２とを有する。第１緩衝部材１３２１は、上カバー１０３２の内側面１３０７に設けられる。第２緩衝部材１３２２は、ファインダユニット１０６０に設けられる。特に、第２緩衝部材１３２２は、ファインダユニット１０６０における、ファインダレンズ系１０６３の近傍に設けられる。第２緩衝部材１３２２は、第１緩衝部材１３２１に対向して設けられる。カバー部１０３０に外部から応力が加えられていない場合、第２緩衝部材１３２２は、第１緩衝部材１３２１とは離間して設けられる。
【００５７】
例えばカバー部１０３０が変形することにより、アイカップ１３３２がボディ部１０４０に対してｙ軸マイナス方向に変位していくと、第１緩衝部材１３２１が第２緩衝部材１３２２に接触する。これにより、ファインダユニット１０６０に対してアイカップ１３３２がｙ軸マイナス方向に変位することが抑制される。
【００５８】
上述したように、撮像装置１０００の底部においては、前カバー１０３１とボディ部１０４０との間にゴム部材１３００が設けられている。ゴム部材１３００は緩衝部材としても機能する。そのため、アイカップ１３３２がファインダユニット１０６０に対して変位することを抑制することができる。
【００５９】
このように、第１変形例における撮像装置１０００によれば、ファインダレンズ系１０６３の光軸に対して垂直な方向にアイカップ１３３２が変位することを抑制できる。そのため、ファインダユニット１０６０から提示される被写体像がファインダ窓１０６４に対しておおきくぶれることを抑制できる。したがって、ファインダユニット１０６０からユーザに提示される被写体像が大きくぶれることを抑制できる。
【００６０】
図５は、第１変形例に係る撮像装置１０００に三脚が取り付けられた状態を模式的に示す断面図である。図３に関連して説明したように、ボディ底部１０５０がビス１０９８および三脚座ネジ１０７０によって締結されることにより、ボディ部１０４０が三脚雲台１０９０に締結される。
【００６１】
図４Ａおよび図４Ｂに関連して説明したように、ゴム部材１３００の第５面１３０５は、三脚座ネジ１０７０の先端面１０７６よりｙ軸プラス方向に位置する。そのため、ボディ部１０４０を三脚雲台１０９０に締結する場合に、三脚雲台１０９０がゴム部材１３００に接触することを防げる。そのため、ゴム部材１３００によって阻害されることなく、ボディ部１０４０を三脚雲台１０９０に締結することができる。
【００６２】
なお、第１変形例に係る撮像装置１０００においては、ボディ底部１０５０と前カバー１０３１との間にゴム部材１３００の一部が挟まれている。第１変形例に係る撮像装置１０００においては、雌ネジ部１０７５が第２面１０５２から突出している長さＬは、前カバー１０３１の厚さｄ以上であってもよい。ボディ部１０４０を三脚雲台１０９０に締結するために予め定められた強さでビス１０９８を三脚座ネジ１０７０に締め付けた場合に、三脚座ネジ１０７０の先端面１０７６が底部外面１０３７から突出しなければ、雌ネジ部１０７５が突出している長さＬが前カバー１０３１の厚さｄ未満である必要はない。雌ネジ部１０７５が突出している長さＬは、ゴム部材１３００の伸縮性を考慮して設計される。
【００６３】
図６は、撮像装置１０００の第２変形例を模式的に示す断面図である。図６は、第２変形例に係る撮像装置１０００に三脚が取り付けられていない状態を模式的に示す。第２変形例に係る撮像装置１０００は、第１変形例に係る撮像装置１０００が備える構成要素に加えて、底部変位抑制部材１３４０を有する。
【００６４】
第２変形例に係る撮像装置１０００が備える構成要素のうち、第１変形例に係る撮像装置１０００が備える構成要素と同様の機能を有する構成要素には、同じ符号が付されている。第２変形例に係る撮像装置１０００の説明において、第１変形例に係る撮像装置１０００が有する構成要素に対応する構成要素については、説明を省略する場合がある。
【００６５】
底部変位抑制部材１３４０は、撮像装置１０００内部の底部に設けられる。底部変位抑制部材１３４０は、底部第１緩衝部材１３４１と、底部第２緩衝部材１３４２とを有する。底部第１緩衝部材１３４１は、底部内面１０３６に設けられる。底部第２緩衝部材１３４２は、ボディ底部１０５０に設けられる。底部第１緩衝部材１３４１は、底部第２緩衝部材１３４２に対向して設けられる。特に、底部第２緩衝部材１３４２は、ボディ底部１０５０における後部に設けられる。カバー部１０３０に外部から応力が加えられていない場合、底部第１緩衝部材１３４１は、底部第２緩衝部材１３４２とは離間して設けられる。
【００６６】
例えばカバー部１０３０が変形することにより、後カバー１０３３の後部がボディ部１０４０に対してｙ軸プラス方向に変位していくと、底部第１緩衝部材１３４１が底部第２緩衝部材１３４２に接触する。これにより、カバー部１０３０が大きく変形することを抑制できる。また、ファインダユニット１０６０に対してアイカップ１３３２がｙ軸プラス方向に変位することも抑制される。
【００６７】
図７は、第３変形例に係る撮像装置１０００に三脚が取り付けられていない状態を模式的に示す。第３変形例に係る撮像装置１０００は、第２変形例に係る撮像装置１０００が備える底部変位抑制部材１３４０に代えて、底部変位抑制部材１３５０を有する。底部変位抑制部材１３５０は、底部変位抑制部材１３４０の変形例である。
【００６８】
第３変形例に係る撮像装置１０００が備える構成要素のうち、第２変形例に係る撮像装置１０００が備える構成要素と同様の機能を有する構成要素には、同じ符号が付されている。第３変形例に係る撮像装置１０００の説明において、第２変形例に係る撮像装置１０００が有する構成要素に対応する構成要素については、説明を省略する場合がある。
【００６９】
底部変位抑制部材１３５０は、撮像装置１０００内部の底部に設けられる。底部変位抑制部材１３５０は、底部第１緩衝部材１３５１と、底部第２緩衝部材１３５２とを有する。底部第１緩衝部材１３５１は、底部内面１０３６に設けられる。底部第２緩衝部材１３５２は、ボディ底部１０５０に設けられる。底部第１緩衝部材１３５１は、底部第２緩衝部材１３５２に接触可能な位置に設けられる。カバー部１０３０に外部から応力が加えられていない場合、底部第１緩衝部材１３５１は、底部第２緩衝部材１３５２とは離間して設けられる。
【００７０】
底部変位抑制部材１３５０においては、底部第１緩衝部材１３５１および底部第２緩衝部材１３５２は、底部第１緩衝部材１３５１が有するｘｙ平面に略水平な側面と底部第２緩衝部材が有するｘｙ平面に略水平な側面とが、接触した状態で摺り動くことができる位置に設けられる。例えば、底部第１緩衝部材１３５１および底部第２緩衝部材１３５２は、両側面が面的に接触した状態で摺り動くことができる位置に設けられる。
【００７１】
例えばカバー部１０３０が変形することにより、後カバー１０３３の後部がボディ部１０４０に対してｙ軸プラス方向に変位していくと、底部第１緩衝部材１３５１の側面が底部第２緩衝部材１３５２の側面に接触し始める。両側面が接触した状態で摺り動くときの摩擦力によって、カバー部１０３０が大きく変形することが抑制される。また、カバー部１０３０の変形が摩擦力で抑制されるので、底部第１緩衝部材１３５１と底部第２緩衝部材１３５２とが接触し始めたときのボディ部１０４０にかかる衝撃を抑制できる。
【００７２】
なお、底部変位抑制部材１３５０と同様の摩擦力による変位抑制部材を、第２変形例および第３変形例に係る第１変位抑制部材１３１０に適用してもよい。また、底部変位抑制部材１３４０、底部変位抑制部材１３５０および第１変位抑制部材１３１０の少なくとも一つに代えて、ダンパ等の変位抑制部材を適用してもよい。底部変位抑制部材１３４０、底部変位抑制部材１３５０および第１変位抑制部材１３１０の少なくとも一つに代えて、バネ等の変位抑制部材を適用してもよい。
【００７３】
本実施形態においては、レンズユニットをするカメラ本体を取り上げて、撮像装置１０００が有する構成を説明した。しかし、撮像装置とは、レンズユニットを有しないカメラ本体を含む概念である。また、撮像装置とは、レンズ交換式カメラの一例である一眼レフレックスカメラの他に、レンズ非交換式の種々の態様のカメラを含む概念である。
【００７４】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００７５】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００７６】
１０００  撮像装置
１０１０  レンズユニット
１０１２  レンズ側マウント
１０１４  光学系
１０２０  カメラ本体
１０２２  ボディ側マウント
１０２４  表示ユニット
１０３０  カバー部
１０３１  前カバー
１０３２  上カバー
１０３３  後カバー
１０４０  ボディ部
１０６０  ファインダユニット
１０６１  フォーカシングスクリーン
１０６２  ペンタプリズム
１０６３  ファインダレンズ系
１０６４  ファインダ窓
１１００  撮像ユニット
１０２２  ボディ側マウント
１０２９、１０３４、１０３５、１０３９  ビス
１０３７  底部外面
１０３８  開口
１０４２  ミラーユニット
１０４３  メインミラー
１０４４  サブミラー
１０４５  ボディ主部
１０４６、１０４７  ビス
１０４８  三脚取付部
１０５０  ボディ底部
１０５１  第１面
１０５２  第２面
１０５３  開口
１０５４  側面
１０５６、１０５７、１０５８、１０５９  孔
１０６６、１０６７、１０６８、１０６９  孔
１０７０  三脚座ネジ
１０７５  雌ネジ部
１０７６  先端面
１０７７  側面
１０８０  三脚座プレート
１０８１  第１面
１０８２  第２面
１０８３  開口
１０９０  三脚雲台
１０９１  第１面
１０９２  第２面
１０９３  開口
１０９８  ビス
１３００  ゴム部材
１３０１  第１面
１３０２  第２面
１３０３  第３面
１３０４  第４面
１３０５  第５面
１３０６  第６面
１３０７  内側面
１３０８  開口
１３１０  第１変位抑制部材
１３２１  第１緩衝部材
１３２２  第２緩衝部材
１３３２  アイカップ
１３４０  底部変位抑制部材
１３４１  底部第１緩衝部材
１３４２  底部第２緩衝部材
１３５０  底部変位抑制部材
１３５１  底部第１緩衝部材
１３５２  底部第２緩衝部材
１４００  処理ユニット
【図１】
2018060218.tif 000003
【図２】
2018060218.tif 000004
【図３】
2018060218.tif 000005
【図４Ａ】
2018060218.tif 000006
【図４Ｂ】
2018060218.tif 000007
【図５】
2018060218.tif 000008
【図６】
2018060218.tif 000009
【図７】
2018060218.tif 000010